【事件の表示】
　平成　９年特許願第１０４４３４号「表示付き無線選択呼出受信機」拒絶査定に対する審判事件［平成１０年１１月　４日出願公開、特開平１０−２９４９５９］について、次のとおり審決する。
【結　論】
　本件審判の請求は、成り立たない。
【理　由】
１．手続の経緯・本願発明
  本願は、平成９年４月２２日の出願であって、その請求項１に係る発明（以下、「本願発明」という。）は、手続補正書により補正された明細書及び図面の記載からみて、その特許請求の範囲の請求項１に記載されたとおりの以下の事項により特定されるものである。
　
「無線選択呼出機能およびメッセージ表示機能に加え，複数の別の付加機能を有する表示付き無線選択呼出受信機であって、前記付加機能の選択及び設定をＭＥＮＵ選択モード，ＭＥＮＵ設定モードの順に行うＭＥＮＵ選択・設定手段を備え、待受け状態から予め定められたスイッチの一定時間以上押下またはダブルクリックによって、前記ＭＥＮＵ選択モードに入り、前記ＭＥＮＵ選択モードにおいては、前記付加機能を表す機能設定画面を自動的にスクロールし、前記ＭＥＮＵ選択モードにおける前記付加機能の機能設定画面のスクロール中の所望の機能設定画面が表示されている時に前記予め定められたスイッチを押下すると、表示されている前記付加機能を選択しＭＥＮＵ設定モードに入ることを特徴とする表示付き無線選択呼出受信機。」
　
２．刊行物記載の発明
（１）当審の拒絶理由に引用した刊行物１（特開平８−１３０７６０号公報）には、以下の事項が記載されている。
ア．「【０００１】
【産業上の利用分野】この発明は、メッセージを表示できるページャーに関する。」（第２頁左欄第２９行〜３１行）
　
イ．「【００１５】
【作用】所定のキー操作を行うだけで、オペレータに対応したテーブルが選択され、１台のページャーがどのオペレータにも対応する。」（第３頁左欄第２５行〜２８行）
　
ウ．「【００２６】さらに、ディスプレイコントローラ３３には、メッセージなどを表示するディスプレイとしてＬＣＤ４４が接続され、インターフェイス回路３４には、各種の操作キー４５が接続され、インターフェイス回路３５には時計回路４６が接続されている。そして、コントローラ３３に文字データが供給されると、これは表示データに変換されるとともに、ＬＣＤ４４に供給され、ＬＣＤ４４にその文字データに対応した文字が表示される。」（第３頁右欄第４３行〜第４頁左欄第１行）
　
エ．「【００２９】すなわち、モードキー４５Ｍを押すと、その押すごとに、ページャーの動作モードが循環式に変更されていくとともに、その変更された動作モードが、例えば図５に示すように、待ち受けモード（同図Ａ）→受信メッセージ表示モード（同図Ｂ）→ …… →メニューモード（同図Ｃ）のように、ＬＣＤ４４に表示されていく。」（第４頁左欄第１６行〜２２行）
　
オ．「【００３０】そして、メニューモード（図５Ｄ）になったとき、カーソルキー４５Ｌあるいは４５Ｒを何回か押すと、図５Ｄに示すように、メニューモードの中のエリア選択モードになり、これが表示される。そこで、実行キー４５Ｅを押すと、このエリア選択モードが確定され、図５Ｅに示すように、テーブルAREATBLのヘッダーHDER1の第１番目に用意されている「ホッカイドウ」が、ＬＣＤ４４に表示される。」（第４頁左欄第２３行〜３０行）
　
カ．「【００３１】そこで、カーソルキー４５Ｌあるいは４５Ｒを押すと、その押すごとに、ヘッダーHDER1に用意されている地域名が正順あるいは逆順に選択され、その地域名がＬＣＤ４４に表示されていく。そして、このページャーを例えば「トウキョウ」のオペレータに対して使用するのであれば、図５Ｆに示すように、ＬＣＤ４４に「トウキョウ」が表示されたとき、実行キー４５Ｅを押す。」（第４頁左欄第３１行〜３８行）
　
　上記ア．〜ウ．の事項を参照すると、刊行物１には、
　メッセージを表示できるページャーにおいて、
　ディスプレイコントローラ３３には、メッセージなどを表示するディスプレイとしてＬＣＤ４４が接続され、インターフェイス回路３４には、各種の操作キー４５が接続され、インターフェイス回路３５には時計回路４６が接続され、コントローラ３３に文字データが供給されると、これは表示データに変換されるとともに、ＬＣＤ４４に供給され、ＬＣＤ４４にその文字データに対応した文字が表示されて、
　所定のキー操作を行うだけで、オペレータに対応したテーブルが選択され、１台のページャーがどのオペレータにも対応するメッセージを表示できるページャーが記載されている。
　
　また、上記エ．〜カ．の事項を参照すると、刊行物１には、
　モードキー４５Ｍを押すと、その押すごとに、ページャーの動作モードが循環式に変更されていくとともに、その変更された動作モードが、待ち受けモード→受信メッセージ表示モード→メニューモードのように、ＬＣＤ４４に表示され、
　メニューモードになったとき、カーソルキー４５Ｌあるいは４５Ｒを何回か押すと、
　メニューモードの中のエリア選択モードになり、これが表示され、
　そこで、実行キー４５Ｅを押すと、このエリア選択モードが確定され、テーブルAREATBLのヘッダーHDER1の第１番目に用意されている「ホッカイドウ」が、ＬＣＤ４４に表示され、
　そこで、カーソルキー４５Ｌあるいは４５Ｒを押すと、その押すごとに、ヘッダーHDER1に用意されている地域名が正順あるいは逆順に選択され、その地域名がＬＣＤ４４に表示され、このページャーを例えば「トウキョウ」のオペレータに対して使用するのであれば、ＬＣＤ４４に「トウキョウ」が表示されたとき、実行キー４５Ｅを押すことが記載されている。
　
　以上を勘案すると、刊行物１には、
　ディスプレイコントローラ３３には、メッセージなどを表示するディスプレイとしてＬＣＤ４４が接続され、インターフェイス回路３４には、各種の操作キー４５が接続され、インターフェイス回路３５には時計回路４６が接続され、コントローラ３３に文字データが供給されると、これは表示データに変換されるとともに、ＬＣＤ４４に供給され、ＬＣＤ４４にその文字データに対応した文字が表示されて、
　所定のキー操作を行うだけで、オペレータに対応したテーブルが選択され、１台のページャーがどのオペレータにも対応するメッセージを表示できるページャーにおいて、
　モードキー４５Ｍを押すと、その押すごとに、ページャーの動作モードが循環式に変更されて、その変更された動作モードが、待ち受けモード→受信メッセージ表示モード→メニューモードのように、ＬＣＤ４４に表示され、
　メニューモードになったとき、カーソルキー４５Ｌあるいは４５Ｒを何回か押すと、
　メニューモードの中のエリア選択モードになり、
　そこで、実行キー４５Ｅを押すと、このエリア選択モードが確定され、
　そこで、カーソルキー４５Ｌあるいは４５Ｒを押すと、その押すごとに、ヘッダーHDER1に用意されている地域名が正順あるいは逆順に選択され、
　実行キー４５Ｅを押して設定を行うページャーの発明（（以下、「刊行物１記載の発明」という。）が記載されている。
　
（２）当審の拒絶理由に引用した刊行物２（特開平８−６３２８４号公報）には、以下の事項が記載されている。
ア．「近年、情報処理装置の入力操作の簡易化及び利便性の要求から、メニュー画面の指示によってプログラムを起動するＭＭＩ（Ｍan Ｍachin Ｉnterface）方式の装置が使用され、例えば、ＭＳ−ウインドウズ等のインターフェースにポインティングデバイスが多く使用される。
【０００２】このようなポインティンデバイスによれば、クリック入力キー，選択取消キー及び移動制御部等から構成される。しかし、クリック入力キーを２回押下しなければ、メニュー画面を選択することができない。」（第２頁左欄第３８行〜４７行）
　
イ．「画面上の表示項目を選択する場合に、ダブルクリック信号をパソコンに出力するべく、必ず、メニュー画面上に移動したカーソル位置でクリック入力キー１を２回押下しなければならない（以下ダブルクリック動作という）。」（第２頁右欄第３５行〜３９行）
　　
　上記ア．及びイ．の事項を参照すると、刊行物２には、
　情報処理装置の入力操作の簡易化及び利便性のため、メニュー操作の指示によりプログラムを起動するマンマシンインタフェース方式の装置において、
　クリック入力キーを２回押下（ダブルクリック動作という）して、メニュー画面を選択するマンマシンインタフェース装置の発明（以下、「刊行物２記載の発明」という。）が記載されている。
　
（３）当審の拒絶理由に引用した刊行物３（特開平６−２４４７５２号公報）には、以下の事項が記載されている。
ア．「【請求項１】 ＣＴデータを含むＲＤＳデータが重畳された放送信号を受信し、前記ＣＴデータに基づいて時計が自動調整可能に構成されたＲＤＳ受信機において、任意の時点で表示器の内容を時計表示に切り替えるための表示切替手段と、この表示切替手段を所定時間以内操作したときマニュアル調整モードを選択してマニュアルで時・分調整可能にすると共に、表示切替手段を所定時間以上操作し続けたとき自動調整モードを選択して時計の自動調整を可能にする制御手段とを備えたことを特徴とするＲＤＳ受信機。」（第２頁左欄第２行〜１１行）
　
イ．「【００１２】表示切り替えキー８Ａが２秒以上押し続けて押されたときは、フローはステップＣに進んでＣＴデータが受信されたか否かを判定する。ＣＴデータが受信された場合はステップＥに進み、自動調整モードが選択されてＣＴデータに基づいて時計の自動調整を行う。」（第３頁左欄第８行〜１２行）
　　
　上記ア．及びイ．の事項を参照すると、刊行物３には、
　表示切り替えキー８Ａが２秒以上押し続けて押されたときに、自動調整モードを選択して時計の自動調整を可能にする制御手段とを備えたことを特徴とするＲＤＳ受信機の発明（以下、「刊行物３記載の発明」という。）が記載されている。
　
３．対比・判断
（１）対比
　本願発明と刊行物１記載の発明とを対比すると、
　
ア．刊行物１記載の発明の「メッセージを表示できるページャー」は、本願発明の「表示付き無線選択呼出受信機」に対応する。
　
イ．刊行物１記載の発明の「ページャー」は、当然に無線選択呼出機能を備えており、また、待ち受けモード、受信メッセージ表示モード及びメニューモードを備えているから、本願発明の「無線選択呼出機能」、「メッセージ表示機能」及び「複数の別の付加機能」に対応した機能を備えている。
　
ウ．刊行物１記載の発明では、動作モードが、待ち受けモード→受信メッセージ表示モード→メニューモードのように循環式に変更され、
　また、メニューモードになったとき、カーソルキー４５Ｌあるいは４５Ｒを何回か押すと、メニューモードの中のエリア選択モードになり、
　実行キーを押すと、エリア選択モードが確定され、カーソルキー４５Ｌあるいは４５Ｒを押すと、その押すごとに、地域名が正順あるいは逆順に選択され、実行キー４５Ｅを押して地域名の設定を行うように構成されており、
　
　刊行物１記載の発明の「エリア選択モード」は、本願発明の「ＭＥＮＵ選択モード」に対応し、
　また、刊行物１記載の発明の「エリア選択モード」確定後の「カーソルキー４５Ｌあるいは４５Ｒを押すと、その押すごとに、地域名が正順あるいは逆順に選択され、実行キー４５Ｅを押して地域名の設定を行う」モードは、本願発明の「ＭＥＮＵ設定モード」に対応しているから、
　
　刊行物１記載の発明は、本願発明の「付加機能の選択及び設定をＭＥＮＵ選択モード，ＭＥＮＵ設定モードの順に行うＭＥＮＵ選択・設定手段」と同等の構成を備えている。
　
　したがって、両者は、以下の点で一致し、以下の各点で相違する。　
　
＜一致点＞
　無線選択呼出機能およびメッセージ表示機能に加え，複数の別の付加機能を有する表示付き無線選択呼出受信機であって、前記付加機能の選択及び設定をＭＥＮＵ選択モード，ＭＥＮＵ設定モードの順に行うＭＥＮＵ選択・設定手段を備え、た表示付き無線選択呼出受信機。
　
＜相違点＞
（ア）ＭＥＮＵ選択モードに入るのに、
　本願発明では、待受け状態から予め定められたスイッチの一定時間以上押下またはダブルクリックによるのに対し、
　刊行物１記載の発明では、メニューモードからカーソルキー４５Ｌあるいは４５Ｒを何回か押すことによる点。
　
（イ） ＭＥＮＵ選択モードにおいて
　本願発明では、付加機能を表す画面を自動的にスクロールし、前記ＭＥＮＵ選択モードにおける前記付加機能の機能設定画面のスクロール中の所望の機能設定画面が表示されている時に前記予め定められたスイッチを押下すると、表示されている前記付加機能を選択しＭＥＮＵ設定モードに入るのに対し、
　刊行物１記載の発明では、カーソルキー４５Ｌあるいは４５Ｒを押すと、その押すごとに、地域名が正順あるいは逆順に選択され、実行キー４５Ｅを押して選択する点。
　
（２）判断
　上記の相違点（ア）については、
　
　まず、刊行物２には、
　メニュー操作の指示によりプログラムを起動するマンマシンインタフェース方式の装置において、クリック入力キーを２回押下（ダブルクリック動作という）して、メニュー画面を選択するマンマシンインタフェース装置の発明が記載されており、
　
　また、刊行物３には、
　表示切り替えキー８Ａが２秒以上押し続けて押されたときに、自動調整モードを選択して時計の自動調整を可能にする制御手段とを備えたことを特徴とするＲＤＳ受信機の発明が記載されており、
　
　刊行物２または刊行物３に記載されているように、表示画面の選択・切替えのために、キーを一定時間以上押下またはダブルクリックして行うことは通常の技術手段であると認められるから、
　
　刊行物２または刊行物３記載の発明を参照すれば、
　エリア選択モードに入る場合に、刊行物１記載の発明の「カーソルキー４５Ｌあるいは４５Ｒを何回か押す手順に代えて、
　スイッチを一定時間以上押下またはダブルクリックにより行うように変更することは、当業者が容易に想到することができたことである。
　
　また、待ち受けモードから直接、メニュー選択モードに入る点については、
　刊行物１記載の発明では、刊行物１の図５を参照すると、待ち受けモードＡから受信メッセージモードＢ，メニューモードを介してメニューモード（エリア選択）Ｄに移行していて、今回、補正された本願発明とは相違しているが、
　待ち受けモードから直接、メニュー選択モードに入ることは周知技術(例：特開平６−１５２４９７号公報、第３頁左欄第３５行〜４２行、図４のＳ１，Ｓ２参照)であるから、
　
　刊行物１記載の発明の手順を変更し、待ち受けモードから直接、メニュー選択モードに入るように変更することは容易である。
　
　したがって、刊行物２又は刊行物３記載の発明及び周知技術を参照すれば、
　刊行物１記載の発明において、待受け状態から、特定のスイッチを一定時間以上の押下またはダブルクリックしてＭＥＮＵ選択モードに入るように変更することは当業者が容易に想到することができたことである。
　
　一方、上記の相違点（イ）については、
　メニュー画面の下にサブメニュー画面を設定して、複数枚のメニュー画面又はサブメニュー画面を高速に頁めくりするスクロール機能が周知技術（例：特開平８−７９３６１号公報第７頁右欄第３３行〜３６行の「メニュー画面」や第９頁左欄第２２行〜２６行の「スクロール機能」等を参照）であるから、
　
　上記周知技術を参照すれば、
　ＭＥＮＵ選択モードにおいて、メニュー画面やサブメニュ画面に対応する機能設定画面をスクロールするようにすること、また、スクロール中の機能設定画面が表示されているときにスイッチを押下して付加機能を選択してＭＥＮＵ設定モードに入るようにすることは当業者が容易に想到することができたことである。
　
　また、付加機能を表す画面を自動的にスクロールする点については、
　無線選択呼出受信機の分野において、文字やメッセージを自動的にスクロールすることが周知技術（例、特開平１−２６５７３３号公報：第１頁左下欄第７行〜１０行「表示された文字をドット単位で行切り替え方向にスクロールし、画面の行単位更新時に移動中の文字を表示して移動中の状態を表示」、特開平７−２０３５０９号号公報：第１頁左下欄第１５行「メッセージを自動スクロール」、特開平９−３７３２３号公報第１頁左下欄第３行〜５行「スクロールスイッチを押下しなくても、自動的にスクロール表示を行うことができ、スイッチ操作を少なくして、利便性を向上させることができる」等を参照）であるのみならず、
　上記の特開平８−７９３６１号公報を参照すると、無線選択呼出受信機の分野において、メニュー画面やサブメニュー画面を高速に頁めくりすること、即ち、メニュー画面を次々に切換えていくことも知られており、
　また、一般に、メニュー画面を自動的に切り換えることは周知技術(例：特開平７−２３３７１号公報、第４頁左欄第２９行〜３７行を参照)であるから、
　
　これらの周知技術等を参照すれば、無線選択呼出受信機の分野において、機能設定画面のスクロールを自動的に行うように変更することは当業者が容易に想到することができたことである。
　
　更に、付加機能を選択するスイッチを、ＭＥＮＵ選択モードに入るための、一定時間以上の押下またはダブルクリックを行うスイッチと同じスイッチにより行う点については、
　そもそも、一定時間以上の押下またはダブルクリックによるスイッチ操作を行うことは、同じスイッチを用いて、異なる動作により異なる操作を行おうとする（例えば、刊行物３：特開平６−２４４７５２号公報、第２頁右欄第３０行〜第３８行、表示切り替えキー８Ａにより時計表示への切り替えと自動調整モードの選択を行う）ものであり、
　一定時間以上の押下またはダブルクリックを行うスイッチと同じスイッチを用いて、他の操作、例えば、付加機能の選択のための操作を行うようにすることは、当業者が適宜、設定することができたことである。
　
　以上のように、本願発明は、表示付き無線選択呼出無線機に、ダブルクリック又は一定時間以上の押下、自動スクロール、スイッチ押下による付加機能の選択等の公知技術を単に寄せ集めて、ＭＥＮＵ選択、機能設定、付加機能の選択等を行うようにしたものに過ぎず、当業者がこれらの組み合わせにより容易に想到することができたものである。
　
　したがって、本願発明は、刊行物１乃至刊行物３記載の発明並びに周知技術に基いて当業者が容易に発明をすることができたものと認められる。
　
４．むすび
　以上のとおりであるから、本願発明は、刊行物１乃至刊行物３記載の発明並びに周知技術に基いて当業者が容易に発明をすることができたものと認められ、特許法第２９条第２項の規定により特許を受けることができない。
　よって、結論のとおり審決する。